(57)【要約】  簡易かつ短時間に商品補充を行うことができる自動販売機を提供することを目的とする。このため、設定制御部（５３）は、設定変更すべき部分を含む全商品管理データを一括受信して予約商品管理データ（Ｄ２）として記憶部（４３）に保存させ、商品の補充時に、商品管理データ（Ｄ１）と予約商品管理データ（Ｄ２）との違いを示す確認情報を含んだ予約商品管理データ（Ｄ２）をリモコン（４４）に表示し、確認情報に対する確認処理によって予約商品管理データ（Ｄ２）を現在の商品管理データ（Ｄ１）として保存させて設定変更する。
2019131024.tif 000002
【特許請求の範囲】
【請求項１】
複数の商品コラムに商品を収納して販売する自動販売機であって、  商品に対して予め付された販売前の商品コードと商品販売時の冷温状態とを組み合わせた最小管理単位を示す販売時商品管理番号に対して、商品コラム番号を含む商品管理内容を紐付けた商品管理データを保存する記憶部と、  前記商品管理データの入出力処理を行う入出力部と、  前記商品管理データをもとに前記商品の販売制御を行う販売制御部と、  前記商品管理データの設定変更を制御する設定制御部と、  を備え、  前記設定制御部は、設定変更すべき部分を含む全商品管理データを一括受信して予約商品管理データとして前記記憶部に保存させ、前記商品の補充時に、前記商品管理データと前記予約商品管理データとの違いを示す確認情報を含んだ前記予約商品管理データを前記入出力部に表示し、前記確認情報に対する確認処理によって前記予約商品管理データを現在の前記商品管理データとして保存させることを特徴とする自動販売機。
【請求項２】
前記入出力部は、自動販売機内部に設けられ、有線接続されたリモコンであることを特徴とする請求項１に記載の自動販売機。
【請求項３】
前記入出力部は、ハンドヘルドターミナルであり、自動販売機外部から操作が可能であることを特徴とする請求項１に記載の自動販売機。
【請求項４】
前記設定制御部は、前記確認処理毎に、前記予約商品管理データの設定更新を行うことを特徴とする請求項１〜３のいずれか一つに記載の自動販売機。
【請求項５】
前記入出力部は、自動販売機前面に設けられたタッチパネルであることを特徴とする請求項１に記載の自動販売機。
【発明の詳細な説明】
【技術分野】
【０００１】  本発明は、簡易かつ短時間に商品補充を行うことができる自動販売機に関する。
【背景技術】
【０００２】  従来の自動販売機では、同一商品を収納する商品コラム単位で商品在庫状態を管理していた。例えば、特許文献１では、リモコンなどの入力装置により入力したコラム−選択ボタン設定データを保持し、季節の変わり目、新製品が発売されたときなどの商品入替を行う時に、このコラム−選択ボタン設定データを設定変更するようにしていた。ここで、特許文献１では、コラム−選択ボタン設定データを、番号を指定して保存するようにし、この際、保存した日時を記録する。そして、コラム−選択ボタン設定データを設定変更する場合、番号の入力によって、日時と、コラム−選択ボタン設定データとを読み出して表示するようにしている。
【先行技術文献】
【特許文献】
【０００３】
【特許文献１】特開２００１−１６７３２８号公報
【発明の概要】
【発明が解決しようとする課題】
【０００４】  しかしながら、季節の変わり目、新製品が発売されたときなどの商品入替を行う場合、作業者は、商品コラムの配置状態を意識して商品の投入を行って商品補充を行っていた。すなわち、作業者は商品コラム番号を指定して商品在庫状態を確認し、各商品コラムに対して補充すべき商品を見つけて商品コラムに補充していたため、商品補充に時間がかかるという問題があった。【０００５】  本発明は、上記に鑑みてなされたものであって、簡易かつ短時間に商品補充を行うことができる自動販売機を提供することを目的とする。
【課題を解決するための手段】
【０００６】  上述した課題を解決し、目的を達成するために、本発明にかかる自動販売機は、複数の商品コラムに商品を収納して販売する自動販売機であって、商品に対して予め付された販売前の商品コードと商品販売時の冷温状態とを組み合わせた最小管理単位を示す販売時商品管理番号に対して、商品コラム番号を含む商品管理内容を紐付けた商品管理データを保存する記憶部と、前記商品管理データの入出力処理を行う入出力部と、前記商品管理データをもとに前記商品の販売制御を行う販売制御部と、前記商品管理データの設定変更を制御する設定制御部と、を備え、前記設定制御部は、設定変更すべき部分を含む全商品管理データを一括受信して予約商品管理データとして前記記憶部に保存させ、前記商品の補充時に、前記商品管理データと前記予約商品管理データとの違いを示す確認情報を含んだ前記予約商品管理データを前記入出力部に表示し、前記確認情報に対する確認処理によって前記予約商品管理データを現在の前記商品管理データとして保存させることを特徴とする。【０００７】  また、本発明にかかる自動販売機は、上記の発明において、前記入出力部は、自動販売機内部に設けられ、有線接続されたリモコンであることを特徴とする。【０００８】  また、本発明にかかる自動販売機は、上記の発明において、前記入出力部は、ハンドヘルドターミナルであり、自動販売機外部から操作が可能であることを特徴とする。【０００９】  また、本発明にかかる自動販売機は、上記の発明において、前記設定制御部は、前記確認処理毎に、前記予約商品管理データの設定更新を行うことを特徴とする。【００１０】  また、本発明にかかる自動販売機は、上記の発明において、前記入出力部は、自動販売機前面に設けられたタッチパネルであることを特徴とする。【００１１】  また、本発明にかかる自動販売機は、上記の発明において、前記設定制御部は、前面の外扉が開いた場合に前記確認情報を含んだ前記予約商品管理データを前記タッチパネル上に表示し、前記外扉が閉まった場合に商品販売表示選択画面に切り替わることを特徴とする。【００１２】  また、本発明にかかる自動販売機は、上記の発明において、前記設定制御部は、特殊操作があった場合に前記確認情報を含んだ前記予約商品管理データを前記タッチパネル上に表示し、確認処理の終了操作があった場合に商品販売表示選択画面に切り替わることを特徴とする。【００１３】  また、本発明にかかる自動販売機は、上記の発明において、前記設定制御部は、前記タッチパネル上で前記確認処理の入力があった時点で、前記予約商品管理データの設定更新を一括して行うことを特徴とする。【００１４】  また、本発明にかかる自動販売機は、上記の発明において、前記予約商品管理データは、ネットワークを介して受信することを特徴とする。【００１５】  また、本発明にかかる自動販売機は、上記の発明において、前記商品コラムは、スラントコラムであり、前記商品コラムの分割及び／または連結が可能な商品コラムを含むことを特徴とする。
【発明の効果】
【００１６】  本発明によれば、予め予約商品管理データを記憶させておき、予約商品管理データを確認するのみで、予約商品管理データを以後運用する商品管理データとして設定更新できるので、簡易かつ短時間に商品補充を行うことができる。
【図面の簡単な説明】
【００１７】
【図１】図１は、本発明の実施の形態１である自動販売機の構成を示す正面図である。
【図２】図２は、図１に示した自動販売機の外扉を開いた状態を示す斜視図である。
【図３】図３は、図１に示した自動販売機の本体キャビネットを側面側からみた断面図である。
【図４】図４は、図１に示した自動販売機の制御系を示すブロック図である。
【図５】図５は、商品の商品コードと商品の冷温状態とを組み合わせた最小管理単位を中心とした管理関係を示す図である。
【図６】図６は、ＳＫＵ番号を中心とした予約商品管理データの一例を示す図である。
【図７】図７は、リモコンによる予約商品管理データの確認処理中の状態を示す図である。
【図８】図８は、設定制御部による予約商品管理データの確認処理手順を示すフローチャートである。
【図９】図９は、本実施の形態２である自動販売機の制御系を示すブロック図である。
【図１０】図１０は、操作表示部に表示される予約商品管理データの一例を示す図である。
【図１１】図１１は、コラム分割・連結設定画面の一例を示す図である。
【発明を実施するための形態】
【００１８】  以下、添付図面を参照してこの発明を実施するための形態について説明する。
【００１９】（実施の形態１）［全体構成］  図１は、本発明の実施の形態１である自動販売機１の構成を示す正面図である。また、図２は、図１に示した自動販売機１の外扉１２を開いた状態を示す斜視図である。さらに、図３は、図１に示した自動販売機１の本体キャビネット１１を側面側からみた断面図である。また、図４は、図１に示した自動販売機１の制御系を示すブロック図である。なお、自動販売機１は、例えば、缶入り飲料、ビン入り飲料、ペットボトル入り飲料などの商品を販売する自動販売機である。
【００２０】  図１に示すように、自動販売機１の前面には、商品選択ボタン７が商品見本Ｄの下部に配置される。展示室２の内部には、商品を展示するためのステージ５が上下方向に四つ並べて設置してあり、それぞれのステージ５において商品見本Ｄが横並びに展示される。また、展示室２の前面側に嵌め込んだ透明な電照板４には、ステージ５と対応するように、商品選択ボタン群６が上下方向に四つ並べて設置してある。なお、上述した商品見本Ｄ及び商品選択ボタン７などを有する展示室２は、デジタルサイネージなどのタッチパネルを組み合わせたものであってもよい。
【００２１】  展示室２の右側前面には、硬貨挿入口３１、紙幣挿入口３２、返却レバー３３、ポップアップハンドル３０、表示部３４、非接触式カードリーダライタ３７が配置され、下部前面には、硬貨支払口３５、商品取出口２５、及び広告配置部３８が配置される。広告配置部３８の領域にタッチパネルなどの入出力部を設けても良い。
【００２２】  図２に示すように、自動販売機１は、本体キャビネット１１を有する。本体キャビネット１１は、前面が開口した箱状に構成され、前面開口は、開閉可能な外扉１２によって閉塞される。本体キャビネット１１の内部は、商品収容室１３と冷熱装置１４とに画成されている。商品収容室１３は、商品を収納する複数の商品コラム１５を有する商品収納ラック１７（以下、スラントラックとも称する）が配置されている。１つの商品コラム１５には、複数の同一商品が収納される。複数の商品コラム１５は、商品の冷温状態によって断熱仕切り板が設けられるとともに、外扉１２が閉状態のとき、商品収容室１３の外扉側前面が断熱扉１６によって覆われる。
【００２３】  図３に示すように、商品収納ラック１７の商品コラム１５は、背面側に後下がりに傾斜する棚板１９によって形成されるストック通路２０を有するスラントコラムである。なお、商品コラム１５には、商品コラム１５の分割及び／または連結が可能な商品コラムが含まれる。商品コラム１５をスラントコラムにすること及び商品コラム１５の分割及び／または連結を可能にすることにより、多種の商品を多数、収納することができる。各商品コラム１５の前端の商品投入口２１から投入された商品Ｗをストック通路２０に１列にして収納する。各商品コラム１５の後端部には搬出装置２２が設けられており、搬出装置２２は、ストック通路２０内の商品Ｗを商品収容室１３の最奥部に設けた落下通路２３に、１個ずつ払出すようにしている。
【００２４】  落下通路２３に払い出された商品Ｗは、落下通路２３の下端に設けた前下りに傾斜するシュート２４を介して外扉１２の商品取出口２５に導かれる。各商品コラム１５の後端側には制動板２６が設けられる。制動板２６は、落下通路２３を落下する商品Ｗを制動しながら落下させる。
【００２５】  図４に示すように、自動販売機１は、商品選択ボタン７からなる商品選択ボタン群６、表示部３４、非接触式カードリーダライタ３７、外部通信処理部４２、ドアスイッチＳＷ、記憶部４３、リモコン４４、コインメカニズム４５、ビルバリデータ４６、及び本体制御部４１がメインコントローラ１０に接続される。本体制御部４１は、冷熱装置１４及び搬出装置２２が接続される。メインコントローラ１０は、制御部５１、販売制御部５２、及び設定制御部５３を有する。
【００２６】  制御部５１は、接続される各部に対する全体制御を行う。販売制御部５２は、商品選択ボタン７によって選択された商品の払出までの一連の販売処理を制御する。冷熱装置１４は、本体制御部４１の制御のもとに、冷却設定された商品コラム１５を冷却する一方、加温設定された商品コラム１５を加熱する。搬出装置２２は、商品購入の金銭処理が終了した商品を商品取出口２５まで搬出する。表示部３４は、投入された金銭などの商品購入に関する各種情報を表示する。非接触式カードリーダライタ３７は、電子マネーカード情報の読み取り、あるいは書き込みを行う。コインメカニズム４５は、硬貨処理装置であり、硬貨挿入口３１、返却レバー３３、硬貨支払口３５は硬貨処理装置の一部である。また、ビルバリデータ４６は、紙幣処理装置であり、紙幣挿入口３２は紙幣処理装置の一部である。外部通信処理部４２は、外部の図示しないネットワークに接続する処理及びＷｉＦｉ（登録商標）などの近距離無線通信接続処理を行う。
【００２７】  ドアスイッチＳＷは、ポップアップハンドル３０の操作による外扉１２の開閉状態を検出する。記憶部４３は、現在設定されている商品管理データＤ１と設定変更が予約された予約商品管理データＤ２とを保存する。リモコン４４は、メインコントローラ１０に有線接続されて、商品管理データＤ１の確認や予約商品管理データＤ２による設定変更を行う。なお、商品管理データＤ１及び予約商品管理データＤ２は、外部通信処理部４２を介して入力される。したがって、商品管理データＤ１及び予約商品管理データＤ２は、ネットワークあるいは近距離無線通信接続によって一括入力される。
【００２８】  設定制御部５３は、設定変更すべき部分を含む全商品管理データを一括受信して予約商品管理データＤ２として記憶部４３に保存させ、商品の補充時に、商品管理データＤ１と予約商品管理データＤ２との違いを示す確認情報を含んだ予約商品管理データＤ２をリモコン４４に表示し、確認情報に対する確認処理によって予約商品管理データＤ２を現在の商品管理データＤ１として保存させる。すなわち、商品管理データＤ１は、自動販売機１に対する現在運用中の商品管理データであり、予約商品管理データＤ２は、予め設定されて、設定変更待ちの商品管理データであり、上述したリモコン４４による確認処理によって現在運用中の商品管理データＤ１となるものである。
【００２９】  なお、設定制御部５３が設定する商品管理データＤ１や予約商品管理データＤ２は、図５に示すように、商品に対して予め付された販売前の商品コードと商品販売時の冷温区分（冷温状態）とを組み合わせた最小管理単位（ＳＫＵ：Stock Keeping Unit）を示す販売時商品管理番号に対して商品コラム１５、商品選択ボタン７、商品価格、売上、その他の設定項目などの商品管理内容を紐付けて管理される。
【００３０】  ここで、販売前の商品コードは、通常の商品コードであり、同一品種の商品であっても、容量や包装によって異なる商品コードが付されている。例えば、同じ３７０ｍｌのコーヒー飲料が缶包装されている場合とペットボトル包装されている場合とは異なる商品コードが付されている。また、同じ缶包装されたコーヒー飲料でも１８５ｍｌの商品と３７０ｍｌの商品とは異なる商品コードが付されている。そして、これらの商品コードは、最小管理単位（ＳＫＵ）で管理されるものであるが、販売前までの流通過程で用いられ、販売前に予め付されたものである。従って、従来の商品コードを示すＳＫＵ番号は、販売前ＳＫＵ番号である。これに対し、自動販売機では、同じ販売前ＳＫＵ番号の商品であっても、冷温状態を異ならせて販売する場合がある。例えば、同じ販売前ＳＫＵ番号を有する同じ銘柄の１８５ｍｌの缶コーヒーは、異なる商品コラムに収納され、温かい缶コーヒーとして販売することもできるし、冷たい缶コーヒーとして販売することもできる。この場合、同じ１８５ｍｌの缶コーヒーは、冷温状態によって賞味期限が異なるため、商品管理的には別な商品として取り扱う必要がある。そこで、本実施の形態１では、販売前の商品コードに商品販売時の冷温状態を組み合わせた販売時商品管理番号（以下、「ＳＫＵ番号」という）を商品の最小管理単位として管理している。なお、冷温状態とは、例えば、販売する商品の商品温度設定が５５℃や４℃であるが、それ以外の温度、例えば、２０℃の常温状態であってもよい。
【００３１】  例えば、予約商品管理データＤ２は、図６に示すように、販売時商品管理番号であるＳＫＵ番号に対して、商品コラム、商品選択ボタン、商品価格などを紐付けて管理される。ＳＫＵ番号は、例えば商品コード「０００００１」と冷温状態「ＣＯＬＤ」との組み合わせを示した最小管理単位番号であり、「０００００１−Ｃ」として表す。なお、「ＣＯＬＤ」は販売する商品の商品温度設定を４℃に設定することである。また、「ＨＯＴ」とする場合は、商品温度設定を５５℃に設定することであり、「Ｈ」として表される。このＳＫＵ番号「０００００１−Ｃ」の商品は、商品コラム番号「１」、「２」、「３」の３つの商品コラム１５に同一の商品「０００００１−Ｃ」が収納される。そして、このＳＫＵ番号「０００００１−Ｃ」の商品の商品選択ボタン７の配置位置を示す番号は「３７」である。また、このＳＫＵ番号「０００００１−Ｃ」の商品の価格は「１３０」円に設定されている。
【００３２】  特に、商品補充を行う場合、リモコン４４でＳＫＵ番号を指定すると、このＳＫＵ番号に対応する商品コラム番号を容易に見出すことができ、同一のＳＫＵ番号を有する複数の商品コラムも直ちに認識して、補充商品毎にまとめて補充することができ、商品補充を短時間かつ容易に行え、また、誤投入を抑制することができる。
【００３３】  図７は、リモコン４４による予約商品管理データＤ２の確認処理中の状態を示す図である。図７に示すように、リモコン４４の表示領域Ｅ１には、予約商品管理データＤ２がＳＫＵ番号順に表示される。図７では、ＳＫＵ番号と商品コラムとの関係が示されている。すなわち、ＳＫＵ番号「０００００１−Ｃ」の商品は、商品コラム「１」、「２」、「３」に収納されていることが示される。ここで、「＊」は、確認情報であり、商品管理データＤ１と予約商品管理データＤ２との違いがあるところを示している。ここで、確認ボタンＢ１を押下することによって確認情報の確認処理が行われる。確認処理が行われると次のＳＫＵ番号と商品コラムとの関係が示される。なお、「＊」が表示されないときも、確認ボタンＢ１を押下すると次のＳＫＵ番号と商品コラムとの関係が示される。なお、ＳＫＵ番号と商品選択ボタンとの関係を見る場合には、図示しない方向キー（右方向キー）を押下することによって、図６に示される、右側の商品選択ボタンの情報がＳＫＵ番号に対応して表示される。すなわち、ＳＫＵ番号「０００００１−Ｃ」と商品選択ボタン「３７」とが表示される。商品価格等の表示も同様にして行うことができる。
【００３４】  表示領域Ｅ２には、商品管理データＤ１と予約商品管理データＤ２との違いを示す確認情報の全てに対する確認処理が行われていない場合に、エラー表示がなされる。すなわち、エラー表示がされている間は、商品管理データＤ１と予約商品管理データＤ２との違いを示す確認情報の未確認が存在することになる。
【００３５】［予約商品管理データＤ２の確認処理手順］  ここで、図８に示すフローチャートを参照して、設定制御部５３による予約商品管理データＤ２の確認処理手順について説明する。まず、この状態では、現在運用中の商品管理データＤ１と予め設定される予約商品管理データＤ２とが予め記憶部４３に記憶されていることを前提とする。
【００３６】  図８に示すように、まず設定制御部５３は、商品管理データＤ１と予約商品管理データＤ２との間に違い（設定変更）があるか否かを判定する（ステップＳ１０１）。設定変更がない場合（ステップＳ１０１，Ｎｏ）には、本処理を終了する。一方、設定変更がある場合（ステップＳ１０１，Ｙｅｓ）には、表示領域Ｅ２にエラー表示する（ステップＳ１０２）。その後、設定変更を示す確認情報である「＊」の表示を行う（ステップＳ１０３）。さらに、確認ボタンＢ１の押下があったか否かを判定する（ステップＳ１０４）。
【００３７】  確認ボタンＢ１が押下されていない場合（ステップＳ１０４，Ｎｏ）には、ステップＳ１０２に戻り、エラー表示を継続する。一方、確認ボタンＢ１が押下されている場合（ステップＳ１０４，Ｙｅｓ）には、表示された設定変更を実行する（ステップＳ１０５）。その後、全ての確認処理が終わったか否かを判定する（ステップＳ１０６）。全ての確認処理が終わっていない場合（ステップＳ１０６，Ｎｏ）には、ステップＳ１０２に戻り、エラー表示を継続する。一方、全ての確認処理が終わった場合（ステップＳ１０６，Ｙｅｓ）には、エラー表示を消灯し（ステップＳ１０７）、本処理を終了する。
【００３８】  本実施の形態１では、リモコン４４に表示された予約商品管理データＤ２を確認しつつ、設定変更部分を示す確認情報の確認処理を行うという簡易な処理で、予約商品管理データＤ２の設定変更を行うことができる。しかも、本実施の形態１では、商品管理データＤ１及び予約商品管理データＤ２は、ＳＫＵ番号を中心に商品管理されているため、商品入替などで商品を補充する作業者は、手元にある商品を中心に商品コラムに商品補充を行えば良く、商品補充にかかる時間を短縮することができる。特に、上記の設定変更の時間及び商品補充の時間がともに短縮されるため、作業者の商品補充にかかるトータル時間を大幅に短縮することができる。
【００３９】  また、本実施の形態１では、商品管理データＤ１や予約商品管理データＤ２は、自動販売機１の管理者が自動販売機１の記憶部４３に設定しておけばよいので、管理者による管理も容易になる。管理者は、例えばネットワークあるいは近距離無線通信を介して予約商品管理データＤ２を任意の時間に設定しておけばよい。
【００４０】  さらに、管理者による予約商品管理データＤ２の設定と作業者による予約商品管理データＤ２の確認処理とは分離されるため、作業者による自動販売機１の商品入替時間が大幅に短縮され、自動販売機１の販売不能時間を大幅に短縮することができる。また、自動販売機１は、屋外の環境が厳しいところに配置される場合があるが、このような場合であっても、自動販売機１に対する商品入替時間が大幅に短縮されるので、作業者の負担が大幅に軽減される。
【００４１】  なお、本実施の形態１ではリモコン４４を用いて予約商品管理データＤ２の確認及び設定変更を行っているが、これに限らず、例えば、近距離無線接続が可能なハンドヘルドターミナルを用いて予約商品管理データＤ２の確認及び設定変更を行ってもよい。また、管理者も、ハンドヘルドターミナルを用い、ハンドヘルドターミナルに予め保存しておいた予約商品管理データＤ２を、外扉１２を開かずに、自動販売機１の外部から記憶部４３に予約保存するようにしてもよい。
【００４２】（実施の形態２）  上述した実施の形態１では、リモコン４４やハンドヘルドターミナルを用いて予約商品管理データＤ２を各ＳＫＵ番号ごとに確認して設定変更を行っていたが、本実施の形態２では、自動販売機１の前面に設けた操作表示部６０上に表示して作業者が確認と設定変更を行うようにしている。
【００４３】  図９は、本実施の形態２である自動販売機１´の制御系を示すブロック図である。自動販売機１´は、自動販売機１の表示部３４及びリモコン４４を削除し、商品選択ボタン群６や商品見本を示す画像データを表示するとともに、少なくとも予約商品管理データＤ２の表示が可能であり、商品選択ボタン群６や予約商品管理データＤ２に対する操作が可能な操作表示部６０を有する。この操作表示部６０は、例えばタッチパネルで構成することができる。その他の構成は、実施の形態１と同じである。
【００４４】  操作表示部６０は、商品選択ボタン群６や商品見本を示す画像データを表示する商品販売表示選択画面と、予約商品管理データＤ２を表示する管理画面とを切り替えて表示する。設定制御部５３は、ドアスイッチＳＷが開となった場合、操作表示部６０に管理画面を表示し、ドアスイッチＳＷが閉となった場合、操作表示部６０に商品販売表示選択画面を表示する。なお、設定制御部５３は、通常、操作表示部６０に商品販売表示選択画面を表示しておき、操作表示部６０上において特殊操作が行われた場合に管理画面に切り替え、確認処理の終了操作が行われた場合に管理画面から商品販売表示選択画面に戻る制御を行ってもよい。なお、特殊操作は、作業者や管理者のみが知っている特定の操作であり、例えばテンキーが表示されている場合、特定のキーの同時入力操作などが含まれる。また、特殊操作には、パスワード入力を含めてもよい。
【００４５】  図１０に示すように、操作表示部６０の予約商品管理データＤ２は一括表示される。また、予約商品管理データＤ２の設定変更部分は、文字色や背景色を変えたり、点滅表示などの強調表示が行われる。これにより作業者は、設定変更部分を容易に確認することができる。
【００４６】  操作表示部６０の下部には、確認ボタンＢ１１、取消ボタンＢ１２、分割・連結ボタンＢ１３が表示される。操作表示部６０上での予約商品管理データＤ２の確認及び設定変更は、確認ボタンＢ１１を押下することによって一括して確認及び設定変更が実行される。作業者が確認ボタンＢ１１を押下すると、強調表示がなくなり、表示された予約商品管理データＤ２は、以降運用状態となる商品管理データＤ１となる。なお、取消ボタンＢ１２及び分割・連結ボタンＢ１３は、この予約商品管理データＤ２を作成する際、管理者が用いるものである。ただし、分割・連結ボタンＢ１３を押下すると、後述するコラム分割・連結設定画面Ｅ１３が表示され、予約商品管理データＤ２の商品コラムの配置状態を知ることができる。
【００４７】  管理者が分割・連結ボタンＢ１３を押下すると、図１１の上部に示したコラム分割・連結設定画面Ｅ１３が表示される。このコラム分割・連結設定画面Ｅ１３では、商品コラム１５を全面からみた商品コラム１５の配置状態が表示される。そして、商品コラムの分割・連結が可能な表示領域ＥＡは、文字色や背景色を変えたり、点滅表示などの強調表示が行われている。管理者は、この強調表示された表示領域ＥＡに対する操作を行うことによって商品コラム１５の分割・連結を行うことができる。なお、表示領域ＥＡでは、隣接するセルが分割・連結が可能な商品コラムである。例えば、管理者が表示領域ＥＡを構成するセルをクリックする毎に分割と連結との処理が繰り返される。例えば、商品コラム「１８」をクリックすると「−」表示になり、商品コラム「１８」と「２１」とが連結される。商品コラムを連結する場合、商品コラム番号が小さい商品コラム番号が「−」表示される。そして、商品コラムが連結された場合、図１０に示すように、予約商品管理データＤ２の設定画面では、大きい商品コラム番号が設定される。例えば、図１０では、２つのＳＫＵ番号「００００１３−Ｃ」が同じ商品コラム番号「２１」に設定されている。同様にして、商品コラム「３１」をクリックすると「−」表示になり、商品コラム「３１」と「３４」とが連結される。そして、図１０に示すように、予約商品管理データＤ２の設定画面では、２つのＳＫＵ番号「００００２２−Ｃ」が同じ商品コラム番号「３４」に設定される。
【００４８】  また、管理者は、図１０に示す予約商品管理データＤ２の設定画面で、設定変更したいセルをクリックすると、例えばテンキーがポップアップされ、設定変更する数値を入力することができる。このようにして設定変更した予約商品管理データＤ２は、確認ボタンＢ１１を押下することによって、予約商品管理データＤ２が管理者の端末等に保存される。この保存された予約商品管理データＤ２は、各自動販売機１´毎に作成され、各自動販売機１´の記憶部４３の予約商品管理データＤ２として予約保存される。
【００４９】  本実施の形態２で管理者が作成する予約商品管理データＤ２は、実施の形態１の予約商品管理データＤ２であり、実施の形態１でもこの予約商品管理データＤ２が自動販売機１の記憶部４３の予約商品管理データＤ２として予約保存される。
【００５０】  本実施の形態２では、大画面の操作表示部６０に予約商品管理データＤ２が一括表示されるので、作業者は予約商品管理データＤ２の確認及び設定変更の実行を容易に行うことができる。
【００５１】  なお、本実施の形態２では、商品販売表示選択画面を表示する操作表示部６０を、予約商品管理データＤ２を表示する管理画面として用いるため、リモコン４４、表示部３４などの構成が不要となり、簡易な構成の自動販売機１´を実現することができる。さらに、操作表示部６０に二次元バーコードなどを表示してバーコード決済を行うようにすれば、さらに、コインメカニズム４５やビルバリデータ４６、さらには非接触式カードリーダライタ３７などの構成も省略することができ、一層、簡易な自動販売機１´を実現できる。
【００５２】  また、本実施の形態２では、操作表示部６０を用いて予約商品管理データＤ２の作成を行わないものとして説明したが、管理者が操作表示部６０を用いて予約商品管理データＤ２を直接作成できるようにしてもよい。
【００５３】  さらに、本実施の形態２の操作表示部６０は、図１に示した広告配置部３８に替えて設けてもよい。この場合、操作表示部６０は、商品販売表示選択画面として用いない。また、設定制御部５３は、ドアスイッチＳＷが開となった場合、操作表示部６０に管理画面を表示し、ドアスイッチＳＷが閉状態では、例えば広告表示を行う。
【００５４】  なお、上述した実施の形態１，２のスラントラック１７は、上記したように、上下左右に多数の商品コラム１５を画成することができるので、商品の多様化に伴う多種の商品を販売可能にしたいという多セレクション化の要望を満足させることができる。
【００５５】  また、スラントラック１７は、サーペンタインラック、すなわち上下に蛇行した通路セグメント間を商品収納通路とし、商品収納通路に収納した商品を下方の商品搬出装置から一個ずつ払出すラックに対し、商品収納部が上下方向に複数段配置された棚板であることから、サーペンタインラックに対してコラム数を多くすることができるため、より多種の商品が販売可能である。このため、例えば、同等サイズの自動販売機では、スラントラックの方がサーペンタインラックよりも多くの商品コラムを有するため、多種の商品販売に適している。
【００５６】  また、スラントラック１７は、商品を横倒し姿勢で前後方向に一列に整列して収納する棚板であるため、商品をラック内に補充する際、上下方向に蛇行した商品通路に商品を収納するサーペンタインラックのように投入口から商品を補充した際に生じる商品落下時の発生音を生じないため、商品補充時の静音化に寄与する。
【００５７】  また、スラントラック１７は、商品収納通路が後方に向けて傾斜した棚板であるため、上下方向に蛇行した商品通路に商品を収納するサーペンタインラックに対し、収納された商品の待機姿勢が、より安定する。また、収納された商品を一個ずつ払い出す搬出装置を棚板の後端側（落下通路の手前側）に配しているため、収納された商品は搬出装置より手前側に載置されることから、自動販売機の正面から収納された商品を視認することができ、かつ収納された商品へ直接アクセスすることも可能である。
【００５８】  なお、上記の実施の形態１，２では、ＳＫＵ番号を中心にした商品管理を行っていることを前提として示したが、これに限らず、商品販売時の冷温状態を加味しない商品管理を行う自動販売機や商品コラムを中心とした商品管理を行う自動販売機にも適用可能である。
【００５９】  また、上記の実施の形態及び変形例で図示した各構成は機能概略的なものであり、必ずしも物理的に図示の構成をされていることを要しない。すなわち、各装置及び構成要素の分散・統合の形態は図示のものに限られず、その全部又は一部を各種の使用状況などに応じて、任意の単位で機能的又は物理的に分散・統合して構成することができる。
【符号の説明】
【００６０】  １，１´  自動販売機  ２  展示室  ４  電照板  ５  ステージ  ６  商品選択ボタン群  ７  商品選択ボタン  １０  メインコントローラ  １１  本体キャビネット  １２  外扉  １３  商品収容室  １４  冷熱装置  １５  商品コラム  １６  断熱扉  １７  商品収納ラック（スラントラック）  １９  棚板  ２０  ストック通路  ２１  商品投入口  ２２  搬出装置  ２３  落下通路  ２４  シュート  ２５  商品取出口  ２６  制動板  ３０  ポップアップハンドル  ３１  硬貨挿入口  ３２  紙幣挿入口  ３３  返却レバー  ３４  表示部  ３５  硬貨支払口  ３７  非接触式カードリーダライタ  ３８  広告配置部  ４１  本体制御部  ４２  外部通信処理部  ４３  記憶部  ４４  リモコン  ４５  コインメカニズム  ４６  ビルバリデータ  ５１  制御部  ５２  販売制御部  ５３  設定制御部  ６０  操作表示部  Ｂ１，Ｂ１１  確認ボタン  Ｂ１２  取消ボタン  Ｂ１３  分割・連結ボタン  Ｄ  商品見本  Ｄ１  商品管理データ  Ｄ２  予約商品管理データ  Ｅ１，Ｅ２，ＥＡ  表示領域  Ｅ１３  コラム分割・連結設定画面  ＳＷ  ドアスイッチ  Ｗ  商品
【図１】
2019131024.tif 000003
【図２】
2019131024.tif 000004
【図３】
2019131024.tif 000005
【図４】
2019131024.tif 000006
【図５】
2019131024.tif 000007
【図６】
2019131024.tif 000008
【図７】
2019131024.tif 000009
【図８】
2019131024.tif 000010
【図９】
2019131024.tif 000011
【図１０】
2019131024.tif 000012
【図１１】
2019131024.tif 000013
【国際調査報告】
2019131024.tif 000014
2019131024.tif 000015
2019131024.tif 000016
2019131024.tif 000017